(57)【要約】【課題】サーバコンピュータ等による監視が不要で、また早期に盗難を通知することが可能な映像表示機器を提供する。【解決手段】プロジェクタは交流電源４０及びバッテリ１９を有し、交流電源４０から電力が供給されているか否かを判別回路１６により判別する。また判別回路１６により交流電源４０が供給されていないと判別した場合、切り替え回路１４はバッテリ１９からの電力供給へ切り替える。そしてバッテリ１９への切り替え後、通信部２０を介して、盗難を示す電子メールを外部へ送信する。これにより、ユーザはプロジェクタが盗難された事を知ることができる。【選択図】図１
2008117227.tif 000002
【特許請求の範囲】
【請求項１】
映像を表示する映像表示機器において、
商用電源から電力が供給されているか否かを判別する判別回路と、
該判別回路により商用電源が供給されていないと判別した場合、バッテリからの電力供給へ切り替える切り替え回路と、
該切り替え回路により電力供給が切り替えられた場合に、通信部を介して、盗難を示す電子メールを外部へ送信する送信手段と
を備えることを特徴とする映像表示機器。
【請求項２】
映像を表示する映像表示機器において、
有線ＬＡＮユニット及び無線ＬＡＮユニットを有する通信部と、
前記有線ＬＡＮユニットへのＬＡＮケーブルの接続状態を判別する通信判別回路と、
該通信判別回路により前記ＬＡＮケーブルが接続状態から非接続状態になったと判別した場合に、通信を前記有線ＬＡＮユニットから前記無線ＬＡＮユニットへ切り替える通信切り替え回路と、
該通信切り替え回路により通信が切り替えられた場合に、前記無線ＬＡＮユニットを介して、盗難を示す電子メールを外部へ送信する補助送信手段と
を備えることを特徴とする映像表示機器。
【請求項３】
ハウジングに設けられたネジ孔と、
該ネジ孔に挿入されるネジの有無を検出するセンサとをさらに備え、
前記送信手段は、前記センサによりネジが存在しないと判断し、かつ、前記切り替え回路によりバッテリからの電力供給へ切り替えられた場合に、通信部を介して、盗難を示す電子メールを外部へ送信するよう構成してある
ことを特徴とする請求項１に記載の映像表示機器。
【請求項４】
ハウジングに設けられたネジ孔と、
該ネジ孔に挿入されるネジの有無を検出するセンサとをさらに備え、
前記補助送信手段は、
前記センサによりネジが存在しないと判断し、かつ、前記通信切り替え回路により通信が切り替えられた場合に、前記無線ＬＡＮユニットを介して、盗難を示す電子メールを外部へ送信するよう構成してある
ことを特徴とする請求項２に記載の映像表示機器。
【請求項５】
パスワードの認証を行う認証手段と、
該認証手段によりパスワードが正当と判断された場合に、電子メールアドレスを記憶部に記憶する手段と、
前記通信部を介して接続されるＤＮＳサーバを前記記憶部に記憶する手段と、
前記記憶部に記憶されたＤＮＳサーバが変更された場合に、変更後のＤＮＳサーバ及び機器固有に付与されるＭＡＣアドレスを含む電子メールを前記記憶部に記憶した電子メールアドレス宛へ、前記通信部を介して送信する電子メール送信手段と
をさらに備えることを特徴とする請求項１乃至４のいずれか一つに記載の映像表示機器。
【請求項６】
前記ＤＮＳサーバに記憶されているメールサーバに関する情報を前記記憶部に記憶する手段をさらに備え、
前記電子メール送信手段は、
前記記憶部に記憶されたＤＮＳサーバ及びメールサーバに関する情報が変更された場合に、変更後のＤＮＳサーバ、変更後のメールサーバに関する情報及び機器固有に付与されるＭＡＣアドレスを含む電子メールを前記記憶部に記憶した電子メールアドレス宛へ、前記通信部を介して送信するよう構成してある
ことを特徴とする請求項５に記載の映像表示機器。
【発明の詳細な説明】
【技術分野】
【０００１】
本発明は、映像を表示する映像表示機器に関し、特に盗難防止機能を有する映像表示機器に関する。
【背景技術】
【０００２】
近年、会社内におけるプレゼンテーションまたは学校内における授業等においてプロジェクタが活用されている。また店舗またはショールーム等では大型の液晶ディスプレイまたはプラズマディスプレイ等が設置されており、これらの画面には広告等が表示される。このようなプロジェクタまたは大型のディスプレイ等の映像表示装置は高額であるため盗難される虞がある。
【０００３】
このような問題を解消するための技術が特許文献１に開示されている。図２０は従来のネットワーク管理システムのハードウェア構成を示す説明図である。従来のネットワーク管理システム１００は、ネットワーク１４０に複数のプロジェクタ１２０、１２０、１２０・・、サーバコンピュータ２００、及び、複数のパーソナルコンピュータ２２０、２２０、２２０・・が接続されている。サーバコンピュータ２００は、プロジェクタ１２０、１２０、１２０・・と通信し、これらの遠隔制御、監視、及び管理を行う。サーバコンピュータ２００は、各プロジェクタ１２０、１２０、１２０・・にポーリングを行い、各プロジェクタ１２０、１２０、１２０・・の現在のステータス情報を取得する。
【０００４】
また、サーバコンピュータ２００は、ネットワーク１４０を介して、プロジェクタ１２０、１２０、１２０・・の特性及び機能を変更することができる。その他、サーバコンピュータ２００が、選択されたプロジェクタ１２０との通信を確立することができない場合、サーバコンピュータ２００は、メッセージを送信し、選択されたプロジェク１２０がネットワークから切断されたか、または、盗まれた可能性があることを、パーソナルコンピュータ２２０を使用するユーザまたは管理者に対して警告する。
【特許文献１】特表２００５−５２２７８０号公報
【発明の開示】
【発明が解決しようとする課題】
【０００５】
しかしながら、特許文献１に記載の盗難警告システムは、サーバコンピュータが定期的にプロジェクタにポーリングを行う必要があり、またシステム内にサーバコンピュータを設ける必要がありシステム構成が複雑になるという問題があった。
【０００６】
本発明は斯かる事情に鑑みてなされたものであり、その目的は、商用電源が供給されていないと判別した場合、バッテリからの電力供給へ切り替え、通信部を介して、盗難を示す電子メールを送信することにより、サーバコンピュータ等による監視が不要で、また早期に盗難を通知することが可能な映像表示機器を提供することにある。
【０００７】
本発明の他の目的は、有線ＬＡＮユニットへのＬＡＮケーブルの接続状態を判別し、非接続状態になったと判別した場合に、通信を無線ＬＡＮユニットへ切り替え、無線ＬＡＮユニットを介して、盗難を示す電子メールを送信することにより、サーバコンピュータの接続及びサーバコンピュータからのポーリングを要することなく、盗難を早期に通知することが可能な映像表示機器を提供することにある。
【０００８】
本発明の他の目的は、壁または天井等に固定された映像表示機器が取り外されたことを検知することにより、早期に、また高い精度で盗難を通知することが可能な映像表示機器を提供することにある。
【０００９】
本発明の他の目的は、ＤＮＳサーバ及びメールサーバに関する情報を予め記憶しておき、これらが変更された場合に、変更後のＤＮＳサーバ等を予め記憶された電子メールアドレス宛へ通知することにより、精度良く盗難を発見でき、またおよその盗難先を認識することが可能な映像表示機器を提供することにある。
【課題を解決するための手段】
【００１０】
本発明に係る映像表示機器は、映像を表示する映像表示機器において、商用電源から電力が供給されているか否かを判別する判別回路と、該判別回路により商用電源が供給されていないと判別した場合、バッテリからの電力供給へ切り替える切り替え回路と、該切り替え回路により電力供給が切り替えられた場合に、通信部を介して、盗難を示す電子メールを外部へ送信する送信手段とを備えることを特徴とする。
【００１１】
本発明に係る映像表示機器は、映像を表示する映像表示機器において、有線ＬＡＮユニット及び無線ＬＡＮユニットを有する通信部と、前記有線ＬＡＮユニットへのＬＡＮケーブルの接続状態を判別する通信判別回路と、該通信判別回路により前記ＬＡＮケーブルが接続状態から非接続状態になったと判別した場合に、通信を前記有線ＬＡＮユニットから前記無線ＬＡＮユニットへ切り替える通信切り替え回路と、該通信切り替え回路により通信が切り替えられた場合に、前記無線ＬＡＮユニットを介して、盗難を示す電子メールを外部へ送信する補助送信手段とを備えることを特徴とする。
【００１２】
本発明に係る映像表示機器は、ハウジングに設けられたネジ孔と、該ネジ孔に挿入されるネジの有無を検出するセンサとをさらに備え、前記送信手段は、前記センサによりネジが存在しないと判断し、かつ、前記切り替え回路によりバッテリからの電力供給へ切り替えられた場合に、通信部を介して、盗難を示す電子メールを外部へ送信するよう構成してあることを特徴とする。
【００１３】
本発明に係る映像表示機器は、ハウジングに設けられたネジ孔と、該ネジ孔に挿入されるネジの有無を検出するセンサとをさらに備え、前記補助送信手段は、前記センサによりネジが存在しないと判断し、かつ、前記通信切り替え回路により通信が切り替えられた場合に、前記無線ＬＡＮユニットを介して、盗難を示す電子メールを外部へ送信するよう構成してあることを特徴とする。
【００１４】
本発明に係る映像表示機器は、パスワードの認証を行う認証手段と、該認証手段によりパスワードが正当と判断された場合に、電子メールアドレスを記憶部に記憶する手段と、前記通信部を介して接続されるＤＮＳサーバを前記記憶部に記憶する手段と、前記記憶部に記憶されたＤＮＳサーバが変更された場合に、変更後のＤＮＳサーバ及び機器固有に付与されるＭＡＣアドレスを含む電子メールを前記記憶部に記憶した電子メールアドレス宛へ、前記通信部を介して送信する電子メール送信手段とをさらに備えることを特徴とする。
【００１５】
本発明に係る映像表示機器は、前記ＤＮＳサーバに記憶されているメールサーバに関する情報を前記記憶部に記憶する手段をさらに備え、前記電子メール送信手段は、前記記憶部に記憶されたＤＮＳサーバ及びメールサーバに関する情報が変更された場合に、変更後のＤＮＳサーバ、変更後のメールサーバに関する情報及び機器固有に付与されるＭＡＣアドレスを含む電子メールを前記記憶部に記憶した電子メールアドレス宛へ、前記通信部を介して送信するよう構成してあることを特徴とする。
【００１６】
本発明にあっては、映像表示機器は商用電源及びバッテリを有し、商用電源から電力が供給されているか否かを判別回路により判別する。また判別回路により商用電源が供給されていないと判別した場合、切り替え回路はバッテリからの電力供給へ切り替える。そしてバッテリへの切り替え後、送信手段は、通信部を介して、盗難を示す電子メールを外部へ送信する。これにより、ユーザは映像表示機器が盗難された事を知ることができる。
【００１７】
本発明にあっては、映像表示機器は通信部として有線ＬＡＮユニット及び無線ＬＡＮユニットを有する。通信判別回路は、有線ＬＡＮユニットへのＬＡＮケーブルの接続状態を判別する。この通信判別回路によりＬＡＮケーブルが接続状態から非接続状態になったと判別した場合、通信切り替え回路は、通信を有線ＬＡＮユニットから無線ＬＡＮユニットへ切り替える。そして、通信切り替え回路により通信が切り替えられた場合に、無線ＬＡＮユニットを介して、盗難を示す電子メールを補助送信手段により外部へ送信する。これにより、たとえＬＡＮケーブルが抜かれたとしても、即座に無線ＬＡＮユニットを介した電子メールの送信による通知が可能となる。
【００１８】
本発明にあっては、映像表示機器のハウジングには、壁または天井等へ映像表示機器を取り付けるためのネジ孔が設けられている。センサはネジ孔に挿入されるネジの有無を検出する。そして、センサによりネジが存在しないと判断し、かつ、切り替え回路によりバッテリからの電力供給へ切り替えられた場合に、通信部を介して、盗難を示す電子メールを外部へ送信する。またはセンサによりネジが存在しないと判断し、かつ、通信切り替え回路により通信が切り替えられた場合に、無線ＬＡＮユニットを介して、盗難を示す電子メールを外部へ送信する。本願出願人は盗難プロセスを鋭意研究した結果、盗難者は壁または天井に取り付けられた映像表示機器のネジを外し、そして、電源コード、ＬＡＮケーブル、映像信号ケーブル等を全て抜き取り、短時間でこれを持ち去るパターンが多いことを認識した。そこで、映像表示機器が取り外されたことを検知し、またバッテリへの切り替え、あるいは、ＬＡＮケーブルの抜き取りを検知した場合に、盗難であることを示す電子メールを送信する。
【００１９】
本発明にあっては、認証手段によりパスワードの認証を行い、パスワードが正当と判断された場合に、盗難時の宛先となるユーザの電子メールアドレスの入力を受け付け、記憶部に記憶する。また、記憶部に通信部を介して接続されるＤＮＳサーバを記憶する。不幸にも第３者の盗難により、第３者が使用するネットワークにおいて映像表示機器が使用される場合、ＤＮＳサーバは変更される。または悪意のある第３者が勝手にＤＮＳサーバを変更する虞もある。映像表示機器は、記憶部に記憶されたＤＮＳサーバが変更された場合、変更後のＤＮＳサーバ及び機器固有に付与されるＭＡＣアドレスを含む電子メールを記憶部に記憶した電子メールアドレス宛へ、通信部を介して送信する。これにより、第３者の盗難先の使用環境を認識することが可能となる。
【００２０】
本発明にあっては、ＤＮＳサーバに記憶されているメールサーバに関する情報を記憶部に記憶する。そして、記憶部に記憶されたＤＮＳサーバ及びメールサーバに関する情報が変更された場合に、変更後のＤＮＳサーバ、変更後のメールサーバに関する情報及び機器固有に付与されるＭＡＣアドレスを含む電子メールを記憶部に記憶した電子メールアドレス宛へ、前記通信部を介して送信する。従って盗難によりＤＮＳサーバ及びメールサーバに関する情報が変更された場合、速やかにこれらの情報及びＭＡＣアドレスがユーザに送信される。
【発明の効果】
【００２１】
本発明にあっては、判別回路により商用電源が供給されていないと判別した場合、切り替え回路はバッテリからの電力供給へ切り替える。そしてバッテリへの切り替え後、送信手段は、通信部を介して、盗難を示す電子メールを外部へ送信する。これにより、ユーザは映像表示機器が盗難にあったことを知ることができる。また、商用電源からバッテリへ電力供給を切り替え自身で電子メールを送信するので、サーバコンピュータによるポーリング及びサーバコンピュータによる通知が不要となることから簡単な構成で盗難抑止力を向上させることが可能となる。
【００２２】
本発明にあっては、通信判別回路によりＬＡＮケーブルが接続状態から非接続状態になったと判別した場合、通信を有線ＬＡＮユニットから無線ＬＡＮユニットへ切り替える。そして、通信切り替え回路により通信が切り替えられた場合に、無線ＬＡＮユニットを介して、盗難を示す電子メールを補助送信手段により外部へ送信する。これにより、たとえＬＡＮケーブルが抜かれたとしても、即座に無線ＬＡＮユニットを介した電子メールの送信による通知が可能となる。またサーバコンピュータによるポーリング及び通知等が不要で、映像表示機器自身により盗難抑止力を向上させることが可能となる。
【００２３】
本発明にあっては、センサによりネジが存在しないと判断し、かつ、切り替え回路によりバッテリからの電力供給へ切り替えられた場合に、通信部を介して、盗難を示す電子メールを外部へ送信する。またはセンサによりネジが存在しないと判断し、かつ、通信切り替え回路により通信が切り替えられた場合に、無線ＬＡＮユニットを介して、盗難を示す電子メールを外部へ送信する。よって、壁、天井またはキャビネット等に取り付けられる大型ディスプレイまたはプロジェクタ等の映像表示機器の盗難を効果的に抑止することが可能となる。
【００２４】
本発明にあっては、認証手段によりパスワードの認証を行い、パスワードが正当と判断された場合に、盗難時の宛先となるユーザの電子メールアドレスの入力を受け付け、記憶部に記憶する。また、記憶部に通信部を介して接続されるＤＮＳサーバを記憶する。映像表示機器は、記憶部に記憶されたＤＮＳサーバが変更された場合、変更後のＤＮＳサーバ及び機器固有に付与されるＭＡＣアドレスを含む電子メールを記憶部に記憶した電子メールアドレス宛へ、通信部を介して送信する。これにより、第３者の盗難先の使用環境を認識することが可能となる。また、電子メールのヘッダを解析することにより、どのような経路で盗難先からユーザのコンピュータまで電子メールが送信されたかを分析することができ、盗難された映像表示機器の発見が容易になる。
【００２５】
本発明にあっては、ＤＮＳサーバに記憶されているメールサーバに関する情報を記憶部に記憶する。そして、記憶部に記憶されたＤＮＳサーバ及びメールサーバに関する情報が変更された場合に、変更後のＤＮＳサーバ、変更後のメールサーバに関する情報及び機器固有に付与されるＭＡＣアドレスを含む電子メールを記憶部に記憶した電子メールアドレス宛へ、前記通信部を介して送信する。従って盗難によりＤＮＳサーバ及びメールサーバに関する情報が変更された場合、速やかにこれらの情報及びＭＡＣアドレスがユーザに送信される。この場合、盗難先のメールサーバに関する情報をも取得できるため、盗難先の使用環境をより具体的に把握することが可能となる等、本発明は優れた効果を奏する。
【発明を実施するための最良の形態】
【００２６】
実施の形態１
以下本発明の実施の形態を、図面を参照して説明する。以下では映像表示機器をプロジェクタであるものとして説明するが、液晶ディスプレイまたはプラズマディスプレイ等の映像表示機器等であっても良い。図１はプロジェクタの制御ユニットのハードウェア構成を示すブロック図、図２はプロジェクタの表示ユニットのハードウェア構成を示すブロック図である。
【００２７】
プロジェクタは制御ユニット１０及び表示ユニット３０に大別される。制御ユニット１０は、制御ユニット１０内の制御を司るＣＰＵ（Central Processing Unit)１１、ＲＡＭ(Random Access Memory)１２、入力部１３、通信部２０、通信切り替え回路２８、記憶部１５、入力端子１２０、及び、電力制御部５０を含んで構成される。ＣＰＵ１１は、バス１７を介してプロジェクタのハードウェア各部と接続されていて、それらを制御すると共に、記憶部１５に格納された制御プログラム１５Ｐに従って、各ソフトウェア処理を実行する。ＲＡＭ１２は任意のアドレスを指定して読み書きすることが可能な半導体メモリである。
【００２８】
記憶部１５は例えばハードディスクで構成され、内部には上述した制御プログラム１５Ｐ、メーラ１５１、電子メールアドレス記憶部１５２及びテンプレートファイル１５３が記憶されている。メーラ１５１は予め記憶部１５にインストールされており、ＳＭＴＰ（Simple Mail Transfer Protocol）またはＥＳＭＴＰ(Extended Simple Mail Transfer Protocol)により電子メールを、通信部２０を介して送信する。なお、電子メールを受信する場合はＰＯＰ３（Post Office Protocol Version３）を用いる。電子メールアドレス記憶部１５２は、盗難時等にメーラ１５１を起動させ盗難があったことを示す電子メールをユーザ、管理者またはサポートセンタ（以下、ユーザで代表する）へ送信する際の、電子メールアドレスを記憶する。
【００２９】
この電子メールアドレスは、入力部１３からユーザが入力し、ＣＰＵ１１がこれを受け付けて記憶部１５の電子メールアドレス記憶部１５２に記憶する。なお、通信部２０を介して接続されるパーソナルコンピュータ（図示せず）を用いて、電子メールアドレスを設定するようにしても良い。テンプレートファイル１５３は、盗難時に電子メールを送信する際の電子メール本文に記載する定型文書を、テキスト形式またはＨＴＭＬ（HyperText Markup Language）形式で記憶している。記載内容の詳細は後述する。
【００３０】
図３は入力部１３のボタン配列を示す説明図である。入力部１３は例えば複数のボタンから構成され、図３の如くスタンバイ／オンボタン１３１の他メニューボタン、方向指示ボタン等により構成される。スタンバイ状態から、スタンバイ／オンボタン１３１が操作された場合、操作信号がＣＰＵ１１へ出力され、ＣＰＵ１１は表示ユニット３０、通信部２０及び電源回路１１０等に電力供給を行い、プロジェクタは動作状態へ移行する。その後再度、スタンバイ／オンボタン１３１が操作された場合、操作信号がＣＰＵ１１へ出力され、ＣＰＵ１１は表示ユニット３０、通信部２０及び電源回路１１０等への電力供給を停止し、プロジェクタは動作状態からスタンバイ状態へ移行する。なお、図示しないが入力部１３近傍に赤外線受信部を設け、入力部としてのリモートコントローラから出力される操作信号を受け付けるようにしても良い。
【００３１】
電力制御部５０は、ＡＣ電源ソケット１８、判別回路１６、スイッチ１４１、バッテリ１９、切り替え回路１４及び電源回路１１０を含んで構成される。ＡＣ電源ソケット１８には商用電源である交流電源４０からの電力を供給する電源コード４１が差し込まれる。電源コード４１が差し込まれた場合、プロジェクタは上述のスタンバイ状態へ移行する。そして、入力部１３のスタンバイ／オンボタン１３１が操作された場合、上述のようにプロジェクタは動作状態へ移行する。判別回路１６は内部に入力された交流を整流及び平滑する整流平滑回路（図示せず）、並びに、整流及び平滑後の供給電流を検出する電流検出回路（図示せず）または供給電圧を検出する電圧検出回路（図示せず）を備えている。以下では判別回路１６は供給電圧を検出するものとする。
【００３２】
判別回路１６は検出した電圧を切り替え回路１４へ出力する。判別回路１６からは、プロジェクタが動作状態にある場合、例えば２５０Ｖが出力され、プロジェクタがスタンバイ状態の場合、例えば５Ｖが出力される。また盗難により、電源コード４１がＡＣ電源ソケット１８から抜かれた場合、判別回路１６は０Ｖを切り替え回路１４へ出力する。切り替え回路１４は判別回路１６から出力される電圧値に応じてスイッチ１４１を切り替える。
【００３３】
スイッチ１４１は一端が切り替え回路１４に接続され、他端が判別回路１６またはバッテリ１９に接続される。切り替え回路１４は判別回路１６から所定電圧以上出力されている場合、すなわち、交流電源４０から電力が供給されている場合（スタンバイ状態または動作状態）、スイッチ１４１を判別回路１６側へ切り替える。一方、判別回路１６から電圧が出力されない場合、すなわち、交流電源４０から電力が供給されていない場合、切り替え回路１４はバッテリ１９へスイッチ１４１を切り替える。なお、バッテリ１９はリチウムイオンバッテリまたは乾電池等を用いればよい。
【００３４】
バッテリ１９または判別回路１６のいずれかは電源回路１１０に接続され電力を供給する。電源回路１１０はＤＣ−ＤＣコンバータ等から構成され、表示ユニット３０及び制御ユニット１０全体に電力を供給する。これにより、室内等に設置されたプロジェクタを第３者が盗難する際に、電源コード４１をＡＣ電源ソケット１８から引き抜いたとしても、判別回路１６がこれを検知し、切り替え回路１４がスイッチ１４１をバッテリ１９側へ切り替え、バッテリ１９による電源回路１１０への電力供給が行われる。
【００３５】
通信部２０は無線ＬＡＮ（Local Area Network）ユニット２２、有線ＬＡＮユニット２１、通信判別回路２６、センサ２５、スイッチ２４及びＬＡＮポート２３を含んで構成される。また通信部２０は通信切り替え回路２８に接続されており、通信切り替え回路２８はスイッチ２７を無線ＬＡＮユニット２２または有線ＬＡＮユニット２１のいずれかに切り替える。なお、スイッチ２７は一端が通信切り替え回路２８に接続され、他端が無線ＬＡＮユニット２２または有線ＬＡＮユニット２１のいずれかに接続される。
【００３６】
無線ＬＡＮユニット２２は無線通信により、図示しないベースステーションを介してデータの送受信を行い、有線ＬＡＮユニット２１は、ＬＡＮケーブル２９を介して有線でデータの送受信を行う。無線ＬＡＮユニット２２は当該装置を特定するための固有のＭＡＣアドレスが内部のメモリに書き換え不可能な状態で記憶されている。同様に、有線ＬＡＮユニット２１も当該装置を特定するための固有のＭＡＣアドレスが内部のメモリに書き換え不可能な状態で記憶されている。
【００３７】
通信判別回路２６は有線ＬＡＮユニット２１、センサ２５、及び通信切り替え回路２８に接続されている。通信判別回路２６は有線ＬＡＮユニット２１が通信可能な状態であるか否かを判断する。ＬＡＮポート２３の差し込み口の一側面には上下方向へ進退することが可能なスイッチ２４が突設されている。スイッチ２４はＬＡＮポート２３にＬＡＮケーブル２９が差し込まれていない場合、図示しないバネにより上方向へ付勢されている。一方、ＬＡＮポート２３にＬＡＮケーブル２９が差し込まれた場合、スイッチ２４はＬＡＮケーブル２９のヘッドに押され下方向へ移動する。センサ２５はスイッチ２４に接続されており、スイッチ２４が上下どちらに存在するかを検出する。
【００３８】
センサ２５は、スイッチ２４が上方向の場合ハイ信号を、下方向の場合ロー信号を通信判別回路２６へ出力する。なお、本実施の形態においてはスイッチ２４の上下動作によりＬＡＮケーブル２９の接続の有無を判断しているが、赤外線センサ等の各種センサを用いて判断するようにしても良い。通信判別回路２６は、センサ２５からロー信号が出力された場合、ＬＡＮケーブル２９が接続されているものとして、ロー信号を通信切り替え回路２８へ出力する、通信切り替え回路２８はスイッチ２７を有線ＬＡＮユニット２１側へ切り替える。
【００３９】
なお、本実施の形態においてはスイッチ２４及びセンサ２５を設け物理的にＬＡＮケーブル２９が接続されているか否かを判断することとしたが、通信判別回路２６から一定期間毎に図示しないルータ等へＡｃｋ信号を出力し、その応答を受信したか否かを判断することにより接続の有無を判断しても良い。この場合、Ａｃｋ信号に対する応答を受信した場合、接続状態にあるとしてロー信号を通信判別回路２６は通信切り替え回路２８へ出力し、Ａｃｋ信号の応答を一定時間受信しない場合は、通信切り替え回路２８へハイ信号を出力する。
【００４０】
通信切り替え回路２８は、通信判別回路２６からハイ信号が出力されたと判断した場合、ＬＡＮケーブル２９が非接続の状態にあるとしてスイッチ２７を無線ＬＡＮユニット２２側へ切り替える。これにより、盗難を試みる第３者がＬＡＮケーブル２９を抜いた場合でも、通信判別回路２６がこれを検知し、通信切り替え回路２８がスイッチ２７を無線ＬＡＮユニット２２側へ切り替える。
【００４１】
次に盗難を試みる第３者が電源コード４１を抜き取り、バッテリ１９側にスイッチ１４１が切り替わった後の処理について説明する。切り替え回路１４はスイッチ１４１をバッテリ１９側へ切り替えた後、切り替え信号をＣＰＵ１１へ出力する。ＣＰＵ１１は切り替え信号の入力を受け付けた場合、メーラ１５１を起動し、テンプレートファイル１５３から電子メールの定型文書を読み出し、また電子メールアドレス記憶部１５２から送信先となるユーザの電子メールアドレスを読み出す。さらに、ＣＰＵ１１は有線ＬＡＮユニット２１または無線ＬＡＮユニット２２のＭＡＣアドレスを取得する。ここでは、スイッチ２７が有線ＬＡＮユニット２１側に接続されており、有線ＬＡＮユニット２１のＭＡＣアドレスを取得したものとして説明する。なお、記憶部１５に予め有線ＬＡＮユニット２１または無線ＬＡＮユニット２２のＭＡＣアドレスを記憶しておくようにしても良い。
【００４２】
ＣＰＵ１１は、メーラ１５１により、読み出した定型文書に、ＭＡＣアドレス等の情報を追記し、宛先に電子メールアドレス記憶部１５２から読み出した電子メールアドレスを設定する。図４は電子メールの記載内容の一例を示す説明図である。ＣＰＵ１１は送信先に電子メールアドレス記憶部１５２から読み出した電子メールアドレスを記述し、送信元に同じく電子メールアドレス記憶部１５２に記憶したプロジェクタ自身に付与される電子メールアドレスを記述する。なお、このプロジェクタの電子メールアドレスは入力部１３または通信部２０を介して接続されるパーソナルコンピュータ（図示せず）により設定することが可能である。
【００４３】
件名にはテンプレートファイル１５３に記憶された定型文書「盗難報告」が記述され、また電子メール本文には、テンプレートファイル１５３に記憶された定型文書「プロジェクタの電源コードが抜かれました。盗難の虞があります。」等が記述される。その他ＣＰＵ１１は、電子メール本文に、ＭＡＣアドレス、プロジェクタ名、及びシリアル番号を記述する。このシリアル番号及びプロジェクタ名は、ユーザが複数存在するプロジェクタを特定するために命名または設定するものであり、入力部１３または通信部２０を介して接続されるパーソナルコンピュータ（図示せず）により設定することが可能である。本例では、教室１に設置されるプロジェクタとして、シリアル番号「room1234」、プロジェクタ名として「教室１」が記述されている。
【００４４】
ＣＰＵ１１は電子メール作成後、通信部２０を介して電子メールを送信する。なお、電源コード４１が抜かれることによる電子メールの送信は、無線ＬＡＮユニット２２または有線ＬＡＮユニット２１のいずれかで良く、この場合、必ずしも無線ＬＡＮユニット２２及び有線ＬＡＮユニット２１の双方を制御ユニット内に設ける必要はない。
【００４５】
次に、ＬＡＮケーブル２９が非接続状態となった場合の処理について説明する。ＬＡＮケーブル２９が抜かれることにより、通信切り替え回路２８は当初有線ＬＡＮユニット２１側に接続されたスイッチ２７を無線ＬＡＮユニット２２側へ切り替える。そして、通信切り替え回路２８は切り替え信号をＣＰＵ１１へ出力する。ＣＰＵ１１は切り替え信号を受け付けた場合、同様に、メーラ１５１を起動し、テンプレートファイル１５３から定型文書を読み出し、また電子メールアドレス記憶部１５２から送信先となるユーザの電子メールアドレスを読み出す。さらに、ＣＰＵ１１は無線ＬＡＮユニット２２のＭＡＣアドレスを取得する。そして上述のように電子メールを作成する。この場合、電子メール本文に記述される定型文書は、テンプレートファイル１５３から読み出される。この定型文書は例えば「ＬＡＮケーブルが抜かれました。盗難の虞があります。」等とすればよい。ＣＰＵ１１は無線ＬＡＮユニット２２を介して作成した電子メールを電子メールアドレス記憶部１５２から読み出した宛先へ送信する。
【００４６】
次に映像データの表示処理等を行う表示ユニット３０について説明する。表示ユニット３０は、ランプ３４、反射鏡３２１、カラーホイール３２、映像形成素子（以下、ＤＭＤ（Digital Micromirror Device（登録商標）と称する）３６、映像形成素子制御回路３７、投射レンズ３８、ファン３３、及び放電灯点灯装置３１を含んで構成される。
【００４７】
プロジェクタでは、ランプ３４から発せられた白色光が集光され、カラーホイール３２に照射される。カラーホイール３２は、赤、青及び緑色の光学フィルタが円周方向に沿って配列形成された円盤として構成されており、図示しない駆動モータによって高速回転されるようになっている。
【００４８】
カラーホイール３２の回転に伴って、ランプ３４から出射された光の光路に各色フィルタが順次挿入され、カラーホイール３２に照射された白色光が赤色光、緑色光、青色光の各単色光に時分割で色分離される。そして、分離された各単色光は、反射鏡３２１へと送られ、ＤＭＤ３６に照射される。なお、ＤＭＤに代えて液晶パネルを用いても良い。ＤＭＤ３６は映像形成素子制御回路３７によって駆動制御されている。映像形成素子制御回路３７は、入力された映像信号に従ってＤＭＤ３６を駆動する。具体的には、入力された映像信号に従ってＤＭＤ３６の各セルや微小ミラーをオンまたはオフさせることによって、照射された単色光を画素単位で反射して光変調を行い、画像光を形成する。形成された画像光は、投射レンズ３８に入射され、投射レンズ３８によって不図示のスクリーン等に拡大投射される。
【００４９】
放電灯点灯装置３１はランプ３４の点灯及び消灯を制御する回路である。ファン３３はランプ３４またはプロジェクタ内を冷却するためのものであり、図示しないモータにより駆動される。図１及び図２に示すように、映像データは入力端子１２０を介して入力される。この入力端子１２０には、パーソナルコンピュータ、チューナ、ＤＶＤ（Digital Versatile Disc）またはハードディスクプレーヤ等が接続され、入力された映像データは表示ユニット３０へ出力される。
【００５０】
以上のハードウェア構成においてスイッチ切り替え及び電子メール送信処理の手順を、フローチャートを用いて説明する。図５は電源コード４１が抜かれた場合の処理手順を示すフローチャートである。判別回路１６は供給される電圧が０Ｖへ降下したか否かを判断する（ステップＳ５１）。判別回路１６は供給電圧が０Ｖへ降下していないと判断した場合（ステップＳ５１でＮＯ）、電源コード４１がＡＣ電源ソケット１８に接続され、またスタンバイ状態または動作状態にあると判断し、ステップＳ５１の処理を繰り返し行う。
【００５１】
一方、判別回路１６は電圧が０Ｖへ降下したと判断した場合（ステップＳ５１でＹＥＳ）、盗難されたと判断し、切り替え回路１４はスイッチ１４１をバッテリ１９側へ切り替える（ステップＳ５２）。切り替え回路１４は切り替え信号をＣＰＵ１１へ出力する。ＣＰＵ１１は切り替え信号の入力を受けた場合、メーラ１５１を起動する（ステップＳ５３）。ＣＰＵ１１は記憶部１５の電子メールアドレス記憶部１５２から宛先となる電子メールアドレス、有線ＬＡＮユニット２１または無線ＬＡＮユニット２２のＭＡＣアドレスを読み出し、また定型文書をテンプレートファイル１５３から読み出す（ステップＳ５４）。なお図４に示した如く、件名、プロジェクタ名、シリアル番号、送信元のアドレス等も記憶部１５から適宜読み出しても良い。ＣＰＵ１１はこの読み出した情報を基に、電子メールを作成し（ステップＳ５５）、通信部２０を介して作成した電子メールを送信する（ステップＳ５６）。
【００５２】
図６はＬＡＮケーブル２９が抜かれた場合の処理手順を示すフローチャートである。通信判別回路２６はセンサ２５からハイ信号が入力されたか否かを判断する（ステップＳ６１）。ハイ信号が入力されていない場合（ステップＳ６１でＮＯ）、ロー信号の入力、すなわちＬＡＮケーブル２９は接続されているものとしてステップＳ６１の処理を繰り返し行う。一方、通信判別回路２６はセンサ２５からハイ信号が入力されたと判断した場合（ステップＳ６１でＹＥＳ）、ハイ信号を通信切り替え回路２８へ出力し、通信切り替え回路２８はこれを受けてスイッチ２７を有線ＬＡＮユニット２１側から無線ＬＡＮユニット２２側へ切り替える（ステップＳ６２）。
【００５３】
ＬＡＮケーブル２９が抜かれる場合、電源コード４１も抜かれることが多く、この場合図５のステップＳ５２の如くバッテリ１９から電力が供給される。通信切り替え回路２８は切り替え信号をＣＰＵ１１へ出力する。ＣＰＵ１１は切り替え信号の入力を受けた場合、メーラ１５１を起動する（ステップＳ６３）。ＣＰＵ１１は記憶部１５の電子メールアドレス記憶部１５２から宛先となる電子メールアドレス、無線ＬＡＮユニット２２のＭＡＣアドレスを読み出し、また定型文書をテンプレートファイル１５３から読み出す（ステップＳ６４）。なお図４に示した如く、件名、プロジェクタ名、シリアル番号、送信元のアドレス等も記憶部１５から適宜読み出しても良い。ＣＰＵ１１はこの読み出した情報を基に、電子メールを作成し（ステップＳ６５）、無線ＬＡＮユニット２２を介して作成した電子メールを送信する（ステップＳ６６）。これにより、電源コード４１またはＬＡＮケーブル２９を盗難のため第３者が抜いたとしてもプロジェクタ自身で電子メールによる通知を行うことが可能となる。なお、ＬＡＮケーブル２９の接続状態の監視、電源コード４１の電力供給の監視及び電子メールの送信処理を実行するか否かは、入力部１３のメニューボタン（図３参照）を操作し、パスワードを入力することで切り替えることができる。
【００５４】
実施の形態２
実施の形態２は壁または天井等からプロジェクタが取り外された場合に電子メールを送信する形態に関する。図７はプロジェクタの天井への取り付け状態を示す模式的斜視図である。プロジェクタを天井等へ取り付ける場合、プロジェクタ底面と、アダプタ５６と、連結軸５７とを連結する。プロジェクタのハウジング５５の底面４隅には左右へ回動することにより上下動する脚部５１０、５１０、５１０、５１０が設けられており、各脚部５１０の近傍にはネジ孔５１、５１、５１、５１が底面から上面方向へ向けて凹設されている。これらネジ孔５１、５１、５１、５１の凹設位置に対応する貫通孔５６３、５６３、５６３、５６３が設けられたアダプタ５６をネジ５２、５２、５２、５２で、ネジ孔５１、５１、５１、５１へ螺合することにより、アダプタ５６をハウジング５５の背面に固定する。
【００５５】
アダプタ５６はステンレス製の平板を両端で略Ｓ字状に折り曲げた形状をなし、ハウジング５５の背面に接する平板部５６１、５６１及びこれらにそれぞれ連結する側面視コの字型の段部５６２により構成される。平板部５６１は上述したように、ネジ孔５１、５１の凹設位置に対応させて、貫通孔５６３、５６３が切り抜かれている。
【００５６】
段部５６２上には、連結軸５７が突設された支持プレート５８が略中央部に載置される。平面視正方形の支持プレート５８の４隅には図示しない貫通孔が設けられている。また、段部５６２の略中央部には、支持プレート５８の貫通孔に対応させて図示しない４つの貫通孔が設けられている。支持プレート５８を段部５６２に固定する場合、ネジ５９、５９、５９、５９を上述した支持プレート５８の貫通孔及び段部５６２の貫通孔へ挿入し図示しない４つのナットで締め付ける。なお、連結軸５７の上側にはプロジェクタを左右方向へ回動させる回動機構及び上下方向へ傾斜させるチルト機構が備わるが図示は省略している。
【００５７】
図８は実施の形態２に係るプロジェクタのハードウェア構成を示すブロック図である。実施の形態１の構成に加えて、スイッチ５３及びセンサ５４が設けられている。なお、図８では４つの内一組のスイッチ５３及びセンサ５４のみを記載している。スイッチ５３は実施の形態１で述べたスイッチ２４と同じく上下方向へ移動することが可能であり、ハウジング５５の底面方向（図８の白抜き矢印方向）へ向けて図示しないバネにより付勢されている。
【００５８】
プロジェクタをアダプタ５６に固定する場合、ネジ５２をネジ孔５１に螺合する。ネジ５２をネジ孔５１へ螺合するにつれてスイッチ５３がハウジング５５の底面から遠ざかる方向（図の白抜き矢印反対方向）へバネに抗して押される。スイッチ５３が押された場合、センサ５４はこれを検出しロー信号をＣＰＵ１１へ出力する。一方、盗難を試みる第３者がネジ５２を外した場合、スイッチ５３がバネの付勢によりハウジング５５の底面方向（図の白抜き矢印方向）へ戻ることになる。この場合、センサ５４はスイッチ５３が元に戻ったことを検出し、ハイ信号をＣＰＵ１１へ出力する。
【００５９】
ＣＰＵ１１は切り替え回路１４から、バッテリ１９側へスイッチ１４１を切り替えたことを示す切り替え信号が出力され、かつセンサ５４からハイ信号が出力された場合（すなわちネジ５２が存在しない場合）、実施の形態１で述べた如く第３者が盗難を行ったとして、通信部２０を介した電子メールの送信を行う。また、ＣＰＵ１１は、ＬＡＮケーブル２９が非接続状態となり、通信切り替え回路２８がスイッチ２７を無線ＬＡＮユニット２２側へ切り替え、通信切り替え回路２８から切り替え信号が出力され、かつセンサ５４からハイ信号が出力された場合、実施の形態１で述べた如く第３者が盗難を行ったとして、無線ＬＡＮユニット２２を介した電子メールの送信を行う。なお本実施の形態においては天井または壁から取り外された場合を検知するようにしたが、机、または移動可能なキャスター等の固定器具から取り外された事を検知するようにしても良い。
【００６０】
本実施の形態２は以上の如き構成としてあり、その他の構成及び作用は実施の形態１と同様であるので、対応する部分には同一の参照番号を付してその詳細な説明を省略する。
【００６１】
実施の形態３
図９は実施の形態３に係るプロジェクタのハードウェア構成を示すブロック図である。実施の形態１と記憶部１５の構成が異なっている。記憶部１５には、権限を有する正規ユーザのみがアクセスすることが可能な初期設定記憶部１５５、及び、任意のユーザがアクセスすることが可能な設定記憶部１５６が設けられている。初期設定記憶部１５５には、ＤＮＳサーバのＩＰ（Internet Protocol）アドレス、メールサーバに関する情報としてＭＸレコード、及び、電子メールアドレス等が記憶されている。初期設定記憶部１５５の記憶内容を変更する場合は、パスワードを用いた認証を行う必要がある。同様に設定記憶部１５６にもＤＮＳサーバのＩＰアドレス、ＭＸレコード及び電子メールアドレスが記憶されている。
【００６２】
実施の形態１及び２で述べたように、盗難により電子メールを送信した後、ＣＰＵ１１は、初期設定記憶部１５５を用いるのではなく設定記憶部１５６を用いて以降の処理を行う。
【００６３】
図１０はパーソナルコンピュータ７０のハードウェア構成を示すブロック図である。プロジェクタは通信部２０を介してパーソナルコンピュータ７０に接続されている。パーソナルコンピュータ７０は、制御部としてのＣＰＵ７１、ＲＡＭ７２、入力部７３、表示部７４、通信部７６及び記憶部７５を含んで構成される。ＣＰＵ７１は、バス７７を介してパーソナルコンピュータ７０のハードウェア各部と接続されていて、それらを制御すると共に、記憶部７５に格納された制御プログラム７５Ｐに従って、各ソフトウェア処理を実行する。
【００６４】
表示部７４は例えば液晶ディスプレイ等であり、入力部７３はキーボード及びマウス等から構成される。通信部７６はモデムまたはＬＡＮカード等であり、ＬＡＮまたはＶＰＮ（Virtual Private Network）を介して、プロジェクタの通信部２０との間でＣＰＵ７１からの指示に従い各種情報を送受信する。記憶部７５は例えばハードディスクで構成され、制御プログラム７５Ｐ及びインターネットエクスプローラ（登録商標）等のブラウザが記憶されている。ＲＡＭ７２は任意のアドレスを指定して読み書きすることが可能な半導体メモリである。
【００６５】
ユーザはパーソナルコンピュータ７０の表示部７４に表示される項目を参照しながら、入力部７３を通じてプロジェクタの制御を行う。パーソナルコンピュータ７０とプロジェクタとはＨＴＴＰ（Hyper Text Transfer Protocol）により情報を送受信し、パーソナルコンピュータ７０のブラウザにはプロジェクタのステータス等の情報が表示されるほか、セキュリティの設定、ブライトネス等の各種設定を行うことができる。なお、これらの表示及び設定は、パーソナルコンピュータ７０を用いることなく、プロジェクタの入力部１３を通じて設定を行い、同じくプロジェクタに設けられるモニタに各種設定情報を表示するようにしても良い。以下ではパーソナルコンピュータ７０を用いた表示及び設定につき説明する。
【００６６】
図１１はブラウザに表示されるメニュー画面のイメージを示す説明図である。パーソナルコンピュータ７０のＣＰＵ７１はプロジェクタのＩＰアドレスを基にアクセスを行う。プロジェクタのＣＰＵ１１はパーソナルコンピュータ７０のリクエストに応えて、記憶部１５からＨＴＭＬ文書を読み出し、パーソナルコンピュータ７０へ送信する。パーソナルコンピュータ７０のブラウザには送信されたＨＴＭＬ文書に基づくメニュー画面が表示される。
【００６７】
メニュー画面には、パスワードを管理する正規ユーザのみが初期設定を行う場合にクリックする「管理者初期設定」、初期設定後任意のユーザが設定を行う場合にクリックする「管理者以外のユーザ設定」、及びランプ３４の寿命、ブライトネスの調整値等を表示する場合にクリックする「ステータス」等が表示される。これら各表示項目にはハイパーリンクＨ１、Ｈ２、及びＨ３が設定されている。
【００６８】
正規ユーザがプロジェクタ購入後に初期設定を行う場合、「管理者初期設定」のハイパーリンクＨ１を入力部７３からクリックする。プロジェクタのＣＰＵ１１は要求を受け付け、記憶部１５から認証画面を読み出してパーソナルコンピュータ７０へ送信する。図１２はブラウザに表示される認証画面のイメージを示す説明図である。
【００６９】
正規ユーザは予め登録したパスワードを、入力部７３を通じて入力する。正規ユーザが入力部７３を通じてＯＫボタンをクリックした場合、パスワードはプロジェクタへ送信される。プロジェクタは記憶部１５に記憶したパスワードと送信されたパスワードとが一致するか否かを判断する。一致すると判断した場合、ＣＰＵ１１は、記憶部１５に記憶した初期設定画面を読み出し、パーソナルコンピュータ７０へ送信する。一方、ＣＰＵ１１は記憶部１５に記憶したパスワードと送信されたパスワードとが一致しないと判断した場合、不正なユーザがアクセスを試みているとして、エラーメッセージを記憶部１５から読み出してパーソナルコンピュータ７０へ送信し、処理を終了する。なお、認証処理はパスワードの他指紋等の生体情報を用いた認証を行っても良い。
【００７０】
図１３はブラウザに表示される初期設定画面のイメージを示す説明図である。初期設定画面においては、正規ユーザは盗難時に送信する電子メールのアドレス、プロジェクタに付与する電子メールアドレス及びＤＮＳサーバを、入力部７３を通じて入力すると共に、ＭＸレコードを確認する。正規ユーザは入力部７３から「送信先電子メールアドレス」欄に盗難時に送信する電子メールアドレスを入力する。図の例では「AAA@BBB.com」と入力されている。また、正規ユーザはプロジェクタに付与する電子メールアドレスを「送信元電子メールアドレス」欄に、入力部７３を通じて入力する。図の例では「room1@BBB.com」が入力されている。
【００７１】
続いてユーザはＤＮＳサーバの設定を行う。ＤＮＳサーバはユーザの選択により、「ＤＮＳサーバのアドレスを自動的に取得する」または「次のＤＮＳサーバのアドレスを使う」のいずれかを選択することができる。正規ユーザが入力部７３から、「ＤＮＳサーバのアドレスを自動的に取得する」を選択した場合、プロジェクタが属するドメインにおける最寄りのローカルＤＮＳが選択され、そのＩＰアドレスがＲＡＭ７２に格納される。また正規ユーザが「次のＤＮＳサーバのアドレスを使う」を入力部７３から選択した場合、正規ユーザは使用する優先ＤＮＳサーバのＩＰアドレス及び代替ＤＮＳサーバのＩＰアドレスをそれぞれ入力する。図の例では「次のＤＮＳサーバのアドレスを使う」が選択され、優先ＤＮＳサーバのＩＰアドレスが「163.137.XX.XX」と入力され、代替ＤＮＳサーバのＩＰアドレスが「169.131.XX.XX」と入力されている。
【００７２】
ＭＸレコードはメールサーバに関する情報を定義する。ＤＮＳサーバにはＡレコード（名前→ＩＰアドレスの定義）、ＰＴＲレコード（ＩＰアドレス→名前の定義）、ＮＳレコード（ネームサーバの定義）、ＳＯＡレコード（ドメインのオーソリティ情報の定義）、及びＭＸレコード等の情報が記憶されている。このＭＸレコードはMail Exchangeの略であり、そのドメインにおけるメールサーバに関する情報が登録されている。具体的にはＭＸレコードには当該ドメインにおけるメールサーバとなるコンピュータの名前（ＦＱＤＮ名）及びメールサーバのＩＰアドレス等の情報が含まれる。
【００７３】
本実施の形態においては正規ユーザが優先ＤＮＳサーバとしてＩＰアドレスが「163.137.XX.XX」を指定している。プロジェクタのＣＰＵ１１またはパーソナルコンピュータ７０のＣＰＵ７１はＤＮＳサーバに対しコマンドを送信し、記憶しているＭＸレコードを送信するよう要求する。ＤＮＳサーバは要求に応えてＭＸレコードを送信する。ブラウザには送信されたＭＸレコードの例として、メールサーバ名「smtp.BBB.com」が表示され、またこれのＩＰアドレス「163.130.XX.XX」が表示される。ここで、正規ユーザがＯＫボタンを、入力部７３を通じてクリックした場合、入力された全ての情報、すなわち、送信先電子メールアドレス、送信元電子メールアドレス、ＤＮＳサーバのＩＰアドレス（以下、場合によりアドレスという）、及びＭＸレコードの情報がプロジェクタへ送信される。プロジェクタのＣＰＵ１１は送信されたこれらの情報を初期設定記憶部１５５に記憶する。これにより正規ユーザのみが設定することができる情報が初期設定記憶部１５５に記憶される。
【００７４】
盗難を行った第３者またはこの第３者からプロジェクタを転得した転得者は、プロジェクタを使用する場合、ネットワークの設定を行う必要がある。第３者または転得者（以下第３者で代表する）は図１１に示すメニュー画面で「管理者以外のユーザ設定」のハイパーリンクＨ２を、入力部７３を通じてクリックする。なお、第３者が「管理者初期設定」のハイパーリンクＨ１をクリックしたとしても、プロジェクタのパスワードを用いた認証処理により初期設定記憶部１５５の内容を変更することができない。
【００７５】
図１１に示すメニュー画面で「管理者以外のユーザ設定」のハイパーリンクＨ２を、入力部７３を通じてクリックした場合、プロジェクタのＣＰＵ１１は設定画面を記憶部１５から読み出し、パーソナルコンピュータ７０へ送信する。なおこのパーソナルコンピュータ７０は第３者のパーソナルコンピュータである。図１４はブラウザに表示される設定画面のイメージを示す説明図である。図１３と図１４とを比較すると、初期設定画面が送信先電子メールアドレスの設定項目を有するのに対し、これを有さない設定画面と相違する。これは盗難時に送信すべき電子メールのアドレスを第３者に変更させないためである。プロジェクタの記憶部１５にはこのように種類の異なる初期設定画面及び設定画面のＨＴＭＬが記憶されている。
【００７６】
第３者はプロジェクタに付与する電子メールアドレスを、入力部７３を通じて「送信元電子メールアドレス」欄に入力する。図の例では、プロジェクタの新たな電子メールアドレスとして「newuser@CCC.com」が入力されている。また第３者は上述した方法により入力部７３を通じてＤＮＳサーバを指定する。第３者が「ＤＮＳサーバのアドレスを自動的に取得する」を選択した場合、盗難先のネットワークドメインにおける最寄りのＤＮＳサーバが選択される。一方、第３者が入力部７３を通じて、「次のＤＮＳサーバのアドレスを使う」を選択した場合、第３者はさらに優先ＤＮＳサーバ及び代替ＤＮＳサーバのＩＰアドレスを入力する。
【００７７】
図の例では、「次のＤＮＳサーバのアドレスを使う」が選択されており、優先ＤＮＳサーバのＩＰアドレスとして「200.001.XX.XX」、代替ＤＮＳサーバのＩＰアドレスとして「200.002.XX.XX」が入力されている。プロジェクタのＣＰＵ１１またはパーソナルコンピュータ７０のＣＰＵ７１は選択されたＤＮＳサーバまたは入力されたＤＮＳサーバのＩＰアドレスに基づき、ＤＮＳサーバへアクセスし、盗難先のメールアドレスに関する情報としてＭＸレコードを取得する。図の例ではＭＸレコードとして、メールサーバ名「smtp.CCC.com」及び当該メールサーバのＩＰアドレス「200.003.XX.XX」が表示されている。ここで、第３者がＯＫボタンを、入力部７３を通じてクリックした場合、入力した全ての情報、すなわち、送信元電子メールアドレス、ＤＮＳサーバのアドレス、及びＭＸレコードの情報がプロジェクタへ送信される。プロジェクタのＣＰＵ１１は送信されたこれらの情報を設定記憶部１５６に記憶する。これにより第３者が設定した情報が設定記憶部１５６に記憶される。
【００７８】
プロジェクタのＣＰＵ１１は設定記憶部１５６を監視しており、設定記憶部１５６のＤＮＳサーバ及びＭＸレコードが変更されたか否かを判断する。ＣＰＵ１１は、初期設定記憶部１５５に記憶されたＤＮＳサーバのアドレス及びＭＸレコードと、設定記憶部１５６の記憶したＤＮＳサーバのアドレス及びＭＸレコードとを比較し、設定記憶部１５６のＤＮＳサーバのアドレス及びＭＸレコードが変更されたと判断した場合、盗難後に盗難先で設置されたとみなし、第２の電子メールの作成を行う。なお、本実施の形態においてはＤＮＳサーバのアドレス及びＭＸレコードの双方が変更された場合に、第２の電子メールを作成する形態としたが、ＤＮＳサーバのアドレスまたはＭＸレコードのいずれかが変更された場合にのみ第２の電子メールを作成し、送信するようにしても良い。
【００７９】
ＣＰＵ１１は制御プログラム１５Ｐに従い、メーラ１５１を起動する。またＣＰＵ１１は、有線ＬＡＮユニット２１または無線ＬＡＮユニット２２のＭＡＣアドレスを読み出し、さらに初期設定記憶部１５５のＤＮＳサーバのアドレス及びＭＸレコード、及び、設定記憶部１５６のＤＮＳサーバのアドレス及びＭＸレコードを読み出す。その他ＣＰＵ１１はテンプレートファイル１５３から、第２の電子メールに用いる定型文書を読み出し、さらに、記憶部１５からプロジェクタのシリアル番号をも読み出す。そしてこれら読み出した情報を基に、第２の電子メールを作成する。
【００８０】
図１５は第２の電子メールのイメージを示す説明図である。ＣＰＵ１１は初期設定記憶部１５５に記憶した正規ユーザの電子メールアドレス（AAA@BBB.com）を送信先に記述し、また設定記憶部１５６から変更されたプロジェクタの電子メールアドレスを送信元に記述する。ＣＰＵ１１は、件名欄に記述する内容「第２盗難報告」をテンプレートファイル１５３から読み出して記述する。またＣＰＵ１１は、第２の電子メール本文の欄に、テンプレートファイル１５３から読み出した定型文書「盗難されたプロジェクタが盗難先で設置されました。」と記述する。
【００８１】
ＣＰＵ１１は、読み出した有線ＬＡＮユニット２１または無線ＬＡＮユニット２２のＭＡＣアドレス「08:00:1F:XX:XX」、記憶部１５に記憶したプロジェクタ名「教室１」、シリアル番号「room1234」を読み出して第２の電子メール本文に記述する。またＣＰＵ１１は初期設定記憶部１５５に記憶された変更後のＤＮＳサーバのアドレス及びＭＸレコードを第２の電子メール本文に記述する。ＣＰＵ１１は電子メール作成後、無線ＬＡＮユニット２２または有線ＬＡＮユニット２１のいずれかを介して、記述した送信先へ電子メールを送信する。正規ユーザは、盗難されたプロジェクタが盗難先で設置されたことを知ることができ、また設置先のＤＮＳサーバ及びＭＸレコードをも認識することができる。さらに、第２の電子メールのヘッダの「Received: from」部分を解析することにより、第２の電子メールの送信経路を把握することも可能となる。
【００８２】
図１６及び図１７は初期設定処理の手順を示すフローチャートである。まず、パーソナルコンピュータ７０のブラウザを起動後、入力部７３からプロジェクタのＩＰアドレスを入力し、プロジェクタに接続要求を行う（ステップＳ１６１）。プロジェクタのＣＰＵ１１は記憶部１５に記憶したメニュー画面を読み出し、読み出したメニュー画面をパーソナルコンピュータ７０へ送信する（ステップＳ１６２）。このメニュー画面はパーソナルコンピュータ７０のブラウザ上に図１１の如く表示される。
【００８３】
正規ユーザは入力部７３からハイパーリンクＨ１をクリックする。ＣＰＵ７１はこの入力を受けて、管理者初期設定画面の要求をプロジェクタに行う（ステップＳ１６３）。ＣＰＵ１１は、管理者初期設定画面の要求を受け付けた場合、記憶部１５に記憶した認証画面を読み出し、読み出した認証画面をパーソナルコンピュータ７０へ送信する（ステップＳ１６４）。認証画面は図１２に示すとおりである。
【００８４】
正規ユーザは入力部７３からパスワードを入力する。ＣＰＵ７１は入力部７３から入力されたパスワードを受け付け、受け付けたパスワードをプロジェクタへ送信する（ステップＳ１６５）。プロジェクタのＣＰＵ１１は送信されたパスワードが正当か否かを判断する（ステップＳ１６６）。これは記憶部１５に予め記憶したパスワードとの比較により行う。ＣＰＵ１１はパスワードが正当でないと判断した場合（ステップＳ１６６でＮＯ）、記憶部１５に記憶したエラーメッセージを読み出しパーソナルコンピュータ７０へ送信する（ステップＳ１６７）。
【００８５】
一方、ＣＰＵ１１はパスワードが正当であると判断した場合（ステップＳ１６６でＹＥＳ）、記憶部１５に記憶した初期設定画面を送信する（ステップＳ１６８）。初期設定画面は図１３に示すとおりである。正規ユーザが入力部７３から送信先電子メールアドレス、送信元電子メールアドレス及びＤＮＳサーバのアドレスを入力する（ステップＳ１６９）。入力された初期設定画面は図１３に示すとおりである。正規ユーザが入力部７３から送信先電子メールアドレス、送信元電子メールアドレス及びＤＮＳサーバのアドレスを入力した場合、ＣＰＵ７１はこれらの情報を受け付ける。なお、ＤＮＳサーバのアドレスはＣＰＵ７１がローカルのＤＮＳサーバのアドレスを取得する他、プロバイダのサーバコンピュータが付与するＤＮＳサーバのアドレスを取得するようにしても良い。
【００８６】
そしてＣＰＵ７１は入力されたＤＮＳサーバのＩＰアドレスを参照して、ＤＮＳサーバに対しＭＸレコードの取得を要求する（ステップＳ１７１）。ＤＮＳサーバはこの要求に応えてＭＸレコードをパーソナルコンピュータ７０へ送信し、パーソナルコンピュータ７０のＣＰＵ７１はＭＸレコードを取得する（ステップＳ１７２）。ＣＰＵ７１は取得したＭＸレコードをブラウザに表示する。ＣＰＵ７１は、入力部７３からＯＫボタンがクリックされたことをトリガーに、送信先電子メールアドレス、送信元電子メールアドレス、ＤＮＳサーバのアドレス、及びＭＸレコードをプロジェクタへ送信する（ステップＳ１７３）。
【００８７】
プロジェクタのＣＰＵ１１は送信された送信先電子メールアドレス、送信元電子メールアドレス、ＤＮＳサーバのアドレス、及びＭＸレコードを初期設定記憶部１５５に記憶する（ステップＳ１７４）。
【００８８】
図１８及び図１９は第２の電子メールの送信手順を示すフローチャートである。第３者は盗難後、パーソナルコンピュータ７０のブラウザを起動する。そして、入力部７３からプロジェクタのＩＰアドレスを入力し、プロジェクタに接続要求を行う（ステップＳ１８１）。プロジェクタのＣＰＵ１１は記憶部１５に記憶したメニュー画面を読み出し、読み出したメニュー画面をパーソナルコンピュータ７０へ送信する（ステップＳ１８２）。このメニュー画面はパーソナルコンピュータ７０のブラウザ上に図１１の如く表示される。
【００８９】
第３者は入力部７３からハイパーリンクＨ２をクリックする。ＣＰＵ７１はこの入力を受けて、設定画面の要求をプロジェクタに行う（ステップＳ１８３）。ＣＰＵ１１は記憶部１５に記憶した設定画面を送信する（ステップＳ１８４）。設定画面は図１４に示すとおりである。第３者が入力部７３から送信元電子メールアドレス及びＤＮＳサーバのアドレスを入力する（ステップＳ１８５）。第３者が入力部７３から送信元電子メールアドレス及びＤＮＳサーバのアドレスを入力した場合、ＣＰＵ７１は入力された情報を受け付ける。
【００９０】
そしてＣＰＵ７１は入力されたＤＮＳサーバのＩＰアドレスを参照して、ＤＮＳサーバに対しＭＸレコードの取得を要求する（ステップＳ１８６）。ＤＮＳサーバはこの要求に応えてＭＸレコードをパーソナルコンピュータ７０へ送信し、パーソナルコンピュータ７０のＣＰＵ７１はＭＸレコードを取得する（ステップＳ１８７）。ＣＰＵ７１は取得したＭＸレコードをブラウザに表示する。ＣＰＵ７１は、入力部７３からＯＫボタンがクリックされたことをトリガーに、送信元電子メールアドレス、ＤＮＳサーバのアドレス、及びＭＸレコードをプロジェクタへ送信する（ステップＳ１８８）。
【００９１】
プロジェクタのＣＰＵ１１は送信された送信元電子メールアドレス、ＤＮＳサーバのアドレス、及びＭＸレコードを設定記憶部１５６に記憶する（ステップＳ１８９）。その後、プロジェクタのＣＰＵ１１は、初期設定記憶部１５５に記憶したＤＮＳサーバのアドレス及びＭＸレコードと、設定記憶部１５６に記憶したＤＮＳサーバのアドレス及びＭＸレコードとの双方が一致しないかを判断する（ステップＳ１９１）。ＣＰＵ１１はＤＮＳサーバのアドレス及びＭＸレコードのいずれか一方が一致する場合または双方が一致する場合（ステップＳ１９１でＮＯ）、一連の処理を終了する。
【００９２】
一方、ＣＰＵ１１は初期設定記憶部１５５に記憶したＤＮＳサーバのアドレス及びＭＸレコードと、設定記憶部１５６に記憶したＤＮＳサーバのアドレス及びＭＸレコードとの双方が一致しないと判断した場合（ステップＳ１９１でＹＥＳ）、メーラ１５１を起動する（ステップＳ１９２）。すなわち、初期設定記憶部１５５に記憶したＤＮＳサーバのアドレスが設定記憶部１５６に記憶したＤＮＳサーバのアドレスと一致せず、かつ、初期設定記憶部１５５に記憶したＭＸレコードが設定記憶部１５６に記憶したＭＸレコードと一致しない場合、盗難であると判断してメーラ１５１を起動する。なお、初期設定記憶部１５５に記憶したＤＮＳサーバのアドレスが設定記憶部１５６に記憶したＤＮＳサーバのアドレスと一致しない場合、または、初期設定記憶部１５５に記憶したＭＸレコードが設定記憶部１５６に記憶したＭＸレコードと一致しない場合、のいずれにおいても盗難であると判断してメーラ１５１を起動しても良い。
【００９３】
ＣＰＵ１１は、初期設定記憶部１５５に記憶した送信先の電子メールアドレス及び設定記憶部１５６に記憶した送信元の電子メールアドレスを読み出す（ステップＳ１９３）。またＣＰＵ１１は、有線ＬＡＮユニット２１または無線ＬＡＮユニット２２のＭＡＣアドレスを読み出し（ステップＳ１９４）、さらに記憶部１５からプロジェクタのシリアル番号及びプロジェクタ名を読み出す（ステップＳ１９５）。ＣＰＵ１１は初期設定記憶部１５５のＤＮＳサーバのアドレス及びＭＸレコードを読み出し、また、ＣＰＵ１１は設定記憶部１５６のＤＮＳサーバのアドレス及びＭＸレコードを読み出す（ステップＳ１９６）。ＣＰＵ１１はテンプレートファイル１５３から、第２の電子メールの定型文書、及び、件名に記載する定型文書を読み出す（ステップＳ１９７）。
【００９４】
ＣＰＵ１１はこれら読み出した情報を基に、第２の電子メールを作成する（ステップＳ１９８）。ＣＰＵ１１は第２の電子メール作成後、無線ＬＡＮユニット２２または有線ＬＡＮユニット２１のいずれかを介して、初期設定記憶部１５５から読み出した送信先の電子メールアドレス宛へ第２の電子メールを送信する（ステップＳ１９９）。
【００９５】
本実施の形態３は以上の如き構成としてあり、その他の構成及び作用は実施の形態１及び２と同様であるので、対応する部分には同一の参照番号を付してその詳細な説明を省略する。
【図面の簡単な説明】
【００９６】
【図１】プロジェクタの制御ユニットのハードウェア構成を示すブロック図である。
【図２】プロジェクタの表示ユニットのハードウェア構成を示すブロック図である。
【図３】入力部のボタン配列を示す説明図である。
【図４】電子メールの記載内容の一例を示す説明図である。
【図５】電源コードが抜かれた場合の処理手順を示すフローチャートである。
【図６】ＬＡＮケーブルが抜かれた場合の処理手順を示すフローチャートである。
【図７】プロジェクタの天井への取り付け状態を示す模式的斜視図である。
【図８】実施の形態２に係るプロジェクタのハードウェア構成を示すブロック図である。
【図９】実施の形態３に係るプロジェクタのハードウェア構成を示すブロック図である。
【図１０】パーソナルコンピュータのハードウェア構成を示すブロック図である。
【図１１】ブラウザに表示されるメニュー画面のイメージを示す説明図である。
【図１２】ブラウザに表示される認証画面のイメージを示す説明図である。
【図１３】ブラウザに表示される初期設定画面のイメージを示す説明図である。
【図１４】ブラウザに表示される設定画面のイメージを示す説明図である。
【図１５】第２の電子メールのイメージを示す説明図である。
【図１６】初期設定処理の手順を示すフローチャートである。
【図１７】初期設定処理の手順を示すフローチャートである。
【図１８】第２の電子メールの送信手順を示すフローチャートである。
【図１９】第２の電子メールの送信手順を示すフローチャートである。
【図２０】従来のネットワーク管理システムのハードウェア構成を示す説明図である。
【符号の説明】
【００９７】
１０    制御ユニット
３０    表示ユニット
１１    ＣＰＵ
１２    ＲＡＭ
１３    入力部
２０    通信部
２８    通信切り替え回路
１５    記憶部
１２０  入力端子
５０    電力制御部
１５１  メーラ
１５２  電子メールアドレス記憶部
１５３  テンプレートファイル
１８    ＡＣ電源ソケット
１６    判別回路
１４１  スイッチ
１９    バッテリ
１４    切り替え回路
１１０  電源回路
２２    無線ＬＡＮユニット
２１    有線ＬＡＮユニット
２６    通信判別回路
２５    センサ
２４    スイッチ
２３    ＬＡＮポート
４０    交流電源
５１    ネジ孔
５２    ネジ
５６    アダプタ
５３    スイッチ
５４    センサ
７０    パーソナルコンピュータ
１５５  初期設定記憶部
１５６  設定記憶部
【図１】
2008117227.tif 000003
【図２】
2008117227.tif 000004
【図３】
2008117227.tif 000005
【図４】
2008117227.tif 000006
【図５】
2008117227.tif 000007
【図６】
2008117227.tif 000008
【図７】
2008117227.tif 000009
【図８】
2008117227.tif 000010
【図９】
2008117227.tif 000011
【図１０】
2008117227.tif 000012
【図１１】
2008117227.tif 000013
【図１２】
2008117227.tif 000014
【図１３】
2008117227.tif 000015
【図１４】
2008117227.tif 000016
【図１５】
2008117227.tif 000017
【図１６】
2008117227.tif 000018
【図１７】
2008117227.tif 000019
【図１８】
2008117227.tif 000020
【図１９】
2008117227.tif 000021
【図２０】
2008117227.tif 000022